(57)【特許請求の範囲】
【請求項１】
上板と下板とこれら両板をつなぐ側板とにより側面視形状が略コ字状に形成された支持部を備え、前記略コ字状の空間内に線材が装填された状態で、前記上板の裏面が勾配屋根の軒先部の上面に当接するように取り付けられて、前記軒先部の裏側に前記線材を支持する支持具であって、
前記下板にはネジ穴が設けられ、
前記上板と、前記下板の裏側から前記ネジ穴に螺合されてその先端が前記軒先部の裏面に当接するネジと、で勾配屋根の軒先部を把持し、
前記線材の前記略コ字状の開口方向への移動が前記ネジにより規制されることを特徴とする線材支持具。
【請求項２】
上板と側板は、平面視形状が矩形状の平板の長手方向の片辺の一部に延設された突片を、前記平板の長手方向と平行な２本の折曲線に沿って同方向に折り曲げて形成され、
下板の一部または全部は、前記平板の一部で構成されている、
請求項１記載の線材支持具。
【請求項３】
側板は、第１折曲線を介して下板と連設され、
前記側板は、突片を前記第１折曲線に沿って略直角に折り曲げることにより形成される請求項２記載の線材支持具。
【請求項４】
突片は、第１折曲線を介して平板に連設されている請求項３記載の線材支持具。
【請求項５】
上板は、第２折曲線を介して側板と連設され、
前記上板は、突片を前記第２折曲線に沿って略直角に折り曲げることにより形成される請求項２乃至４のいずれかに記載の線材支持具。
【請求項６】
側板から上板の略コ字状の開口端までの長さは、前記側板から下板の略コ字状の開口端までの長さよりも長い請求項１乃至５のいずれかに記載の線材支持具。
【請求項７】
上板の略コ字状の開口側の先端部分は、下板とは反対側に反っている請求項１乃至６のいずれかに記載の線材支持具。
【請求項８】
上板と下板との間隔は、略コ字状の閉口側から開口側に向けて漸次狭くなっている請求項１乃至７のいずれかに記載の線材支持具。
【請求項９】
複数の支持部を備え、
各支持部の略コ字状の開口方向は同じ方向である請求項１乃至８のいずれかに記載の線材支持具。
【請求項１０】
上板の裏面には、滑り止め材が設けられている請求項１乃至９のいずれかに記載の線材支持具。
【請求項１１】
線材は、長尺の発熱線を絶縁材で皮膜して構成された電熱線であり、
平板と突片は、金属製である請求項１乃至１０のいずれかに記載の線材支持具。
【発明の詳細な説明】
【技術分野】
【０００１】
本発明は、線材支持具に関し、より具体的には、平葺屋根などの勾配屋根の軒先の裏側に線材を容易に支持することができる線材支持具に関する。
【背景技術】
【０００２】
周知のように、積雪の多い場所では、屋根上に積もった雪が軒先からずれだして雪庇が形成され、あるいは、融解した水分が「つらら」となって垂れ下がる場合があり、いずれの場合にも落下の危険がある。
このため、屋根上の積雪が多くなるとその除去が必要となるが、高所作業となることからその作業の改善が望まれている。
【０００３】
屋根上の積雪を除去する方法としては、屋根の全体あるいは一部を加温して積雪の防止や融雪を図ることが提案されている。
融雪のための構成としては、平葺き鉄板屋根の軒先先端にコ字状のヒータ線支持具を釘打ちなどで固定し、固定されたヒータ線支持具内にヒータ線を挿入してコ字状空間を封止する構成（例えば、特許文献１参照。）、あるいは軒先裏面にヒータ線を通線可能な断面コ字状の空間を形成されたヒータ装着板を配置し、軒先裏面にコ字状断面の上面を当接させた構成（例えば、特許文献２参照。）、また、ヒータ線を収容するコ字状空間の開口部を軒先裏面によって閉じるようにした構成（例えば、特許文献３参照。）がある。
【０００４】
しかし、上記特許文献に開示されている融雪構造は、ヒータ線の敷設方向に沿って支持具を釘打ち等により固定する必要があるために、取り付け施工の際の作業性が悪いという問題がある。特に、ヒータ線を収容する空間内に釘を打ち込むような場合には、狭い空間内での作業となり、短時間での取り付けが難しくなる。
【特許文献１】実用新案登録第３０８４１４７号公報
【特許文献２】特開２００４−１６２３９６号公報
【特許文献３】実開平４−８４５６５号公報
【発明の開示】
【発明が解決しようとする課題】
【０００５】
本発明は、以上のような従来技術の問題点を解消するためになされたもので、簡単な取り付け作業により勾配屋根の軒先部の裏側に線材を支持することができ、しかも、取り付け後の支持具、さらには支持具に支持されている線材の脱落を防止することができる線材支持具を提供することを目的とする。
【課題を解決するための手段】
【０００６】
本発明にかかる線材支持具は、上板と下板とこれら両板をつなぐ側板とにより側面視形状が略コ字状に形成された支持部を備え、略コ字状の空間内に線材が装填された状態で、上板の裏面が勾配屋根の軒先部の上面に当接するように取り付けられて、軒先部の裏側に線材を支持する支持具であって、下板にはネジ穴が設けられ、上板と、下板の裏側からネジ穴に螺合されてその先端が軒先部の裏面に当接するネジと、で勾配屋根の軒先部を把持し、線材の略コ字状の開口方向への移動がネジにより規制されることを特徴とする。
【０００７】
また、本発明にかかる線材支持具は、上板と側板は、平面視形状が矩形状の平板の長手方向の片辺の一部に延設された突片を、平板の長手方向と平行な２本の折曲線に沿って同方向に折り曲げて形成され、下板の一部または全部は、平板の一部で構成されていることを特徴とする。
【０００８】
また、本発明にかかる線材支持具は、側板は第１折曲線を介して下板と連設され、側板は突片を第１折曲線に沿って略直角に折り曲げることにより形成されることを特徴とする。
【０００９】
また、本発明にかかる線材支持具は、突片は、第１折曲線を介して平板に連設されていることを特徴とする。
【００１０】
また、本発明にかかる線材支持具は、上板は第２折曲線を介して側板と連設され、上板は突片を第２折曲線に沿って略直角に折り曲げることにより形成されることを特徴とする。
【００１１】
また、本発明にかかる線材支持具は、側板から上板の略コ字状の開口端までの長さは、側板から下板の略コ字状の開口端までの長さよりも長いことを特徴とする。
【００１２】
また、本発明にかかる線材支持具は、上板の略コ字状の開口側の先端部分は、下板とは反対側に反っていることを特徴とする。
【００１３】
また、本発明にかかる線材支持具は、上板と下板との間隔は、略コ字状の閉口側から開口側に向けて漸次狭くなっていることを特徴とする。
【００１４】
また、本発明にかかる線材支持具は、複数の支持部を備え、各支持部の略コ字状の開口方向は同じ方向であることを特徴とする。
【００１５】
また、本発明にかかる線材支持具は、上板の裏面には、滑り止め材が設けられていることを特徴とする。
【００１６】
また、本発明にかかる線材支持具は、線材は長尺の発熱線を絶縁材で皮膜して構成された電熱線であり、平板と突片は金属製であることを特徴とする。
【発明の効果】
【００１７】
本発明によれば、簡単な取り付け作業により勾配屋根の軒先部の裏側に線材を支持することができ、しかも、取り付け後の支持具の脱落を防止、さらには支持具に支持されている線材の脱落を防止することができる。
【発明を実施するための最良の形態】
【００１８】
以下、図面を参照しながら、本発明にかかる線材支持具の実施の形態について説明する。
ここで、以下に説明する実施の形態は、平葺屋根の軒先部の裏側に融雪用の電熱線を支持する場合を例に説明する。電熱線は、線材の例である。また、平葺屋根は、勾配屋根の例である。
【００１９】
図１は、本発明にかかる線材支持具の実施の形態を示す斜視図である。線材支持具１は、側面視形状が略コ字状に形成された支持部２を備える。支持部２は、上板２Ａと、下板２Ｂと、これら両板（上板２Ａ，下板２Ｂ）をつなぐ側板２Ｃとで構成される。
線材支持具１には、電熱線Ｐの長手方向に並べて２つの支持部２が設けられていて、各支持部２の略コ字状の開口方向は、同一方向である。
【００２０】
なお、本発明において、線材支持具に設けられる支持部の数は、１でもよいし、あるいは、３以上でもよい。ただし、複数の支持部を設ける場合には、各支持部の略コ字状の開口方向は、同一方向とする必要がある。
【００２１】
図２は、線材支持具１を平葺屋根Ｙの軒先部Ｙ１に取り付けた状態での、支持部２の部分断面図（図１のＸ−Ｘ線断面図）である。
下板２Ｂの裏側（図中、紙面下側）からネジ穴２Ｂ１に螺合されたネジ３の先端が、軒先部Ｙ１の裏面に当接している。また、上板２Ａの裏面は、軒先部Ｙ１の上面（表面）に当接している。さらに、軒先部Ｙ１の先端部分（図中、紙面左端）は、側板２Ｃに当接している。
【００２２】
電熱線Ｐは、支持部２により形成される略コ字状の空間内であって、下板２Ｂの上面と側板２Ｃの内面と軒先部Ｙ１の裏面で形成された空間内に位置する。
また、電熱線Ｐは、ネジ３により、支持部２により形成される略コ字状の開口方向への移動が規制されていることを示している。すなわち、軒先部Ｙ１の裏側に支持されている電熱線Ｐが、たとえ、開口方向に移動したとしても、ネジ３に当たるため、開口部分から落脱することはない。
【００２３】
ここで、電熱線Ｐは、たとえば、長尺の発熱線を耐熱性に優れたシリコンゴム絶縁皮膜で被覆して構成されている。電熱線に電力が供給されると、発熱線の熱が支持具を介して平葺屋根の軒先部を加温して、軒先付近の積雪を融雪する。
なお、電熱線への電力の供給は、たとえば、図示しない温度センサが軒先付近の温度を感知し、所定の温度を下回ると開始されるように構成してもよいし、あるいは、所定の時間間隔で断続的に行うように構成してもよい。
【００２４】
線材支持具１は、たとえば、図３（ａ）に示す形状に打ち抜き加工された１枚の平板状の可撓性を有する金属板を折り曲げて作製する。金属板は、平面視形状が矩形状の平板１０の長手方向の片辺の一部に突片２０が延設された形状である。
なお、図３（ａ）に示した形状の金属板は、図３（ｂ）に示すように、あらかじめ分離している平板１０と突片２０とを溶接などにより接合して形成するようにしてもよい。
【００２５】
図４は、支持部２を構成する上板２Ａと下板２Ｂと側板２Ｃの例を示す図である。
側板２Ｃは、第１折曲線Ｌ１を介して下板２Ｂと連設している。また、上板２Ａは、第２折曲線Ｌ２を介して側板２Ｃと連設している。
支持部２を構成する上板２Ａと側板２Ｃは、突片２０を平板１０の長手方向と平行な２本の折曲線Ｌ１，Ｌ２に沿って、同方向に折り曲げて形成される。つまり、２本の折曲線Ｌ１，Ｌ２を同方向に折り曲げることで、折り曲げ前の上板２Ａ部分の突片２０の表面（図４の紙面手前側の面）は、折り曲げ後に、下板２Ｂ部分の平板１０の表面（図４の紙面手前側の面）と対向することになる。
【００２６】
下板２Ｂは、２本の折曲線を折り曲げて形成された上板２Ａに対向する平板１０の部分である。つまり、下板２Ｂは、平板１０の一部で構成されている。すなわち、下板２Ｂは、平板１０の長手方向の片辺であって突片２０が延設されている片とは別の片（図４における平板１０の右辺）と、第１折曲線Ｌ１と、図４における左右方向の２本の点線と、で囲まれた領域である。ここでは、２つの突片２０があるため、２つの下板２Ｂが存在する。
【００２７】
なお、各下板２Ｂには、ネジ穴２Ｂ１が設けられている。
ここで、ネジ穴２Ｂ１は、支持部２の略コ字状の空間内に装填されて軒先部Ｙ１の裏側に支持されている電熱線Ｐが、略コ字状の開口方向に移動したときに、ねじ穴２Ｂ１に螺合されたネジ３が、開口部分からの落脱を防止するストッパとして機能する位置に設けられる。
【００２８】
図５は、支持部２を構成する上板と下板と側板の別の例を示す図である。下板２Ｂ’の全部が平板１０の一部で構成されている点において、下板２Ｂの一部が平板１０の一部で構成されている図４に示した例とは異なる。すなわち、第１折曲線Ｌ１’は、平板１０と突片２０との境界線と一致している。
【００２９】
図６は、線材支持具１の支持部２の部分断面図（図１のＸ−Ｘ断面図）であり、上板２Ａと下板２Ｂとの間隔が、略コ字状の「閉口側」から「開口側」に向けて（図中、紙面左側から右側に向けて）、漸次狭くなっていることを示している。つまり、上板２Ａと下板２Ｂとの略コ字状の「閉口側」の間隔Ｇ１と、同「開口側」の間隔Ｇ２との間には、「Ｇ１＞Ｇ２」の関係がある。
なお、符号３は、後述するように、下板２Ｂに設けられたネジ穴２Ｂ１に、下板２Ｂの裏側から（図中、紙面下側から上側に向けて）螺合されたネジを示す。
【００３０】
ここで、突片２０の折り曲げ角度は、第１折曲線Ｌ１では略直角であるが、第２折曲線Ｌ２では直角ではない。すなわち、下板２Ｂと側板２Ｃとがなす角は略直角であり、上板２Ａと側板２Ｃがなす角は鋭角である。
このように突片２０の折り曲げ角度を設定して支持部２を形成することで、後述するように、上板２Ａの裏面を軒先部Ｙ１の表面に隙間なく密着させた状態で、上板２Ａと下板２Ｂとのバネ力を発揮させて、軒先部Ｙ１に線材支持具１を取り付けることができる。
【００３１】
なお、軒先部Ｙ１に取り付けられた線材支持具１の脱落防止の観点からは、上板２Ａと下板２Ｂとのバネ力が重要であり、このバネ力を生じさせるには、上板２Ａと下板２Ｂとの間隔が、略コ字状の閉口側から開口側に向けて、漸次狭くなっていることが望ましい。したがって、たとえば、下板２Ｂと側板２Ｃとがなす角は鋭角で、上板２Ａと側板２Ｃがなす角が略直角となるように、突片２０の折り曲げ角度を設定してもよい。
【００３２】
次に、以上説明した構成を備える線材支持具１の使用方法、つまり、勾配屋根への取り付け方法について、以下に説明する。
図７は、線材支持具１の平葺屋根Ｙの軒先部Ｙ１への取り付け方法を示す図である。取り付け者は、電熱線Ｐを平板１０上に載置した上で、支持部２の閉口側から線材支持具１の支持部２部分を両手で掴み、支持部２の開口側を軒先部Ｙ１に挿入する。
ここで、線材支持具１の取り付け作業の効率を高めるために、線材支持具１を軒先部Ｙ１に挿入する前には、ネジ３はネジ穴２Ｂ１に仮螺合しておく。ネジ３の仮螺合とは、ネジ３の軸部（ネジ３の頭部以外の部分）が支持部２の略コ字状の空間内への軒先部Ｙ１の侵入の邪魔にならない程度、つまり、ネジ３の先端と上板２Ａの裏面との間に軒先部Ｙ１が挿入可能な隙間が形成される程度に、ネジ３をネジ穴２Ｂ１に螺合しておくことを指す。
【００３３】
ネジ３を仮螺合した状態で、線材支持具１を軒先部Ｙ１に取り付けることで、取り付け者は、ネジ３をネジ穴２Ｂ１に挿入する手間を省くことができる。
つまり、屋根幅が長ければ、軒先部の裏側に配線する電熱線の長さも長くなり、多数の線材支持具を必要とする。したがって、多数の線材支持具にネジを締め付けていく際、ネジを１本ずつ用意してネジ穴の位置を確かめながら挿入して締め付ける作業は、軒先部という高所であることも相まって、手間がかかり作業効率を損なう。ネジ３を仮螺合した状態であれば、ネジを１本ずつ用意したり、あるいは、ネジ穴の位置を確かめながら挿入することなく、仮螺合されているネジ３を締め付けるだけで済むため、仮螺合していない場合に比べて作業効率が高まる。
【００３４】
ただし、ネジ３の仮螺合は、必ずしも必要ではない。すなわち、線材支持具１を軒先部Ｙ１に取り付ける前には、ネジ３はネジ穴２Ｂ１に挿入されておらず、軒先部Ｙ１に取り付けた後に、ネジ３をネジ穴２Ｂ１に螺合して締め付けるようにしてもよい。
【００３５】
支持部２の略コ字状の空間内に軒先部Ｙ１を挿入後、取り付け者は、ネジ３の先端（ネジ先）が軒先部Ｙ１の裏面に当接するまで、仮螺合されているネジ３を締め付ける。
図８は、軒先部Ｙ１に取り付けた線材支持具１の支持部２の部分断面図（図１のＸ−Ｘ線断面図）であり、上板２Ａとネジ３とで軒先部Ｙ１を把持していることを示している。また、支持部２の略コ字状の空間内に位置する電熱線Ｐが、軒先部Ｙ１の裏側に支持されていることを示している。さらに、電熱線Ｐの略コ字状の開口方向への移動が、ネジ３により規制されていることを示している。
【００３６】
図８に示すように、軒先部Ｙ１の裏面にネジ３の先端が当接した状態で、さらにネジ３を締め付けることで、上板２Ａは軒先部Ｙ１に押し上げられる。図中、上板２Ａは、点線で示す位置から実線で示す位置まで、軒先部Ｙ１に押し上げられていることを示している。
このように、上板２Ａが軒先部Ｙ１に押し上げられると、上板２Ａと下板２Ｂとの略コ字状の開口側の間隔が拡がり、上板２Ａと下板２Ｂとの間でバネ力が生じる。その結果、上板２Ａとネジ３とによる軒先部Ｙ１の把持力が強まる。
【００３７】
このようにして線材支持具１は、軒先部Ｙ１の裏側に電熱線Ｐを配線支持することができる。
電熱線Ｐから生じる熱は、軒先部Ｙ１の裏側（裏面）に直接伝わると共に、下板２Ｂや側板２Ｃから上板２Ａを介して軒先部Ｙ１の表側（表面）にも伝わる。つまり、電熱線Ｐからの熱は、効率よく軒先部分に伝わり、軒先付近の積雪を融雪することができる。
【００３８】
以上説明したように、線材支持具１は、上板２Ａと下板２Ｂと側板２Ｃとで形成された略コ字状の支持部２の空間内に電熱線Ｐを装填した状態で、上板２Ａと下板２Ｂで軒先部Ｙ１を挟むように取り付けられる。その際、下板２Ｂの裏側から螺合されたネジ３の先端で軒先部Ｙ１の裏面を押し上げて、軒先部Ｙ１の表面と上板２Ａの裏面が当接した状態で、上板２Ａとネジ３とで軒先部Ｙ１を把持する。
【００３９】
このように、線材支持具１は、簡単な取り付け作業により、軒先部Ｙ１に取り付けて、電熱線Ｐを軒先部Ｙ１の裏側に支持することができる。
【００４０】
また、上板２Ａとネジ３とによる軒先部Ｙ１の把持力により、軒先部Ｙ１に取り付けられた線材支持具１の脱落を防止することができる。
【００４１】
さらに、ねじ穴２Ｂ１に螺合されたネジ３が、支持部２の略コ字状の空間内に装填されて電熱線Ｐが、略コ字状の開口方向に移動したときの、開口部分からの落脱を防止するストッパとして機能するため、軒先部Ｙ１の裏側に支持されている電熱線Ｐの脱落を防止することができる。
【００４２】
さらにまた、上板２Ａと下板２Ｂとの間隔を、略コ字状の閉口側から開口側に向けて漸次狭くなるように形成しておき、下板２Ｂの裏側から螺合されたネジ３の先端で軒先部Ｙ１の裏面を押し上げるようにネジ３を締め付けることで、上板２Ａと下板２Ｂとの間でバネ力が生じ、上板２Ａとネジ３とによる軒先部Ｙ１の把持力が強まり、軒先部Ｙ１に取り付けられた線材支持具１の脱落防止効果を高めることができる。
【００４３】
なお、図９に示すように、上板の略コ字状の開口側の先端部分が、下板とは反対側に反っているように形成してもよい。
このように上板を形成した場合、線材支持具１を屋根に取り付ける際、上板２Ａ’の略コ字状の開口側の先端部分の裏面で、軒先部Ｙ１の略コ字状の空間内へのガイドが容易となり、線材支持具１の屋根への取り付け作業の作業性が向上する。
【００４４】
また、図１０に示すように、支持部は、「側板２Ｃ」から「上板２Ａ’’の略コ字状の開口端」までの長さＬ１０が、「側板２Ｃ」から「下板２Ｂの略コ字状の開口端」までの長さＬ２０より、長くなるように形成してもよい。
このように、上板の長さ（屋根の軒先と棟とを結ぶ方向の長さ）を下板より長くすることで、上板とネジ３とによる軒先部の把持力が強まり、軒先部に取り付けられた線材支持具の脱落防止効果を高めることができる。
【００４５】
さらに、上板の裏面に、滑り止め材を設けても良い。滑り止め材としては、たとえば、上板の裏面にゴムなどの摩擦部材を貼付したり、あるいは、上板の裏面の表面を粗く加工したりするとよい。
このように、軒先部の上面と当接する上板の裏面に滑り止め材を設けることで、上板の裏面と軒先部の上面（表面）との摩擦力が向上し、軒先部に取り付けられた線材支持具の脱落防止効果を高めることができる。
【００４６】
なお、以上説明した実施の形態では、融雪用の電熱線を支持する場合を例に説明したが、本発明にかかる線材支持具で支持する物品として電熱線に代えて、たとえば、融雪用の温水を循環させるための温水パイプとしてもよい。
また、本発明にかかる線材支持具は、融雪用の電熱線などを支持する用途のほかに、たとえば、通信ケーブルなどの線材を支持する用途に用いることもできる。
【００４７】
さらに、以上説明した実施の形態では、平葺屋根に取り付ける場合を例に説明したが、本発明にかかる線材支持具の取り付け可能な屋根は、軒先が存在しない陸屋根以外の勾配屋根であればよい。勾配屋根には、平葺きのほか、タテハゼ葺き、瓦棒葺き、横葺き、波板葺き、瓦葺き、折板屋根、スレート屋根などがある。
【図面の簡単な説明】
【００４８】
【図１】本発明にかかる線材支持具の実施の形態を示す斜視図である。
【図２】上記線材支持具の使用状態を示す一部断面図である。
【図３】上記線材支持具の作製方法を説明するための模式図である。
【図４】上記線材支持具が備える支持部の例を示す模式図である。
【図５】上記支持部の別の例を示す模式図である。
【図６】上記支持部の側面視断面図である。
【図７】上記線材支持具の軒先部への装着方法を示す図である。
【図８】ネジの締め付けにより軒先部に押し上げられる上板の様子を示す図である。
【図９】本発明にかかる線材支持具の別の実施の形態を示す断面図である。
【図１０】本発明にかかる線材支持具のさらに別の実施の形態を示す断面図である。
【符号の説明】
【００４９】
１      線材支持具
２      支持部  
２Ａ    上板
２Ｂ    下板
２Ｃ    側板
２Ｂ１  ネジの挿通部（ネジ穴）
３      ネジ
１０    平板
２０    突片
Ｌ１    第１折曲線
Ｌ２    第２折曲線
Ｙ      勾配屋根
Ｙ１    軒先部
Ｐ      電熱線（線材）
【要約】
【課題】簡単な取り付け作業により勾配屋根の軒先部の裏側に線材を支持することができ、しかも、取り付け後の支持具の脱落の防止、さらには、支持具に支持されている線材の脱落を防止することができる線材支持具を得る。
【解決手段】上板２Ａと下板２Ｂとこれら両板をつなぐ側板２Ｃとにより側面視形状が略コ字状に形成された支持部を備え、略コ字状の空間内に線材Ｐが装填された状態で、上板２Ａの裏面が勾配屋根Ｙの軒先部Ｙ１の上面に当接するように取り付けられて、軒先部Ｙ１の裏側に線材Ｐを支持する支持具であって、下板２Ｂにはネジ穴２Ｂ１が設けられ、上板２Ａと、下板２Ｂの裏側からネジ穴２Ｂ１に螺合されてその先端が軒先部Ｙ１の裏面に当接するネジ３と、で勾配屋根Ｙの軒先部Ｙ１を把持し、線材Ｐの略コ字状の開口方向への移動がネジ３により規制される。
【選択図】図２【図１】
0004037444.tif 000002
【図２】
0004037444.tif 000003
【図３】
0004037444.tif 000004
【図４】
0004037444.tif 000005
【図５】
0004037444.tif 000006
【図６】
0004037444.tif 000007
【図７】
0004037444.tif 000008
【図８】
0004037444.tif 000009
【図９】
0004037444.tif 000010
【図１０】
0004037444.tif 000011